(57)【特許請求の範囲】
【請求項１】
容器本体の上面の天面部に開口部を形成し、
容器本体の天面部に形成した上記開口部を覆う上蓋を、該開口部の後部に設けられるヒンジにより回動可能に該容器本体に結合し、
上蓋を容器本体に対する閉蓋位置に保つ係止機構部を該上蓋と該容器本体とに設け、
全開時の上蓋の上面を支える蓋上面衝合部を、容器本体の天面部の上記ヒンジ設置部より後部に設けてなる容器であって、
前記上蓋を前記容器本体に結合するヒンジが、該上蓋に設けたヒンジピンを該容器本体に非貫通で設けたヒンジ孔に嵌入して構成され、該上蓋の閉蓋状態下で、該ヒンジ孔が該ヒンジピンに対し遊びを有してなり、
前記容器本体の天面部に設けた第１シールリング内に開口部を形成し、上蓋の閉蓋時に、上蓋の裏面に設けた第２シールリングを第１シールリングに嵌合させて開口部を封止可能にしてなることを特徴とする容器。
【請求項２】
容器本体の上面の天面部に開口部を形成し、
容器本体の天面部に形成した上記開口部を覆う上蓋を、該開口部の後部に設けられるヒンジにより回動可能に該容器本体に結合し、
上蓋を容器本体に対する閉蓋位置に保つ係止機構部を該上蓋と該容器本体とに設け、
全開時の上蓋の上面を支える蓋上面衝合部を、容器本体の天面部の上記ヒンジ設置部より後部に設けてなる容器であって、
前記上蓋を前記容器本体に結合するヒンジが、該上蓋に設けたヒンジピンを該容器本体に非貫通で設けたヒンジ孔に嵌入して構成され、該上蓋の閉蓋状態下で、該ヒンジ孔が該ヒンジピンに対し容器本体の少なくとも前記開口部側及び上方に遊びを有してなり、
前記容器本体の天面部に設けた第１シールリング内に開口部を形成し、上蓋の閉蓋時に、上蓋の裏面に設けた第２シールリングを第１シールリングに嵌合させて開口部を封止可能にしてなることを特徴とする容器。
【請求項３】
前記容器本体の底部に開口部を形成し、該開口部に着脱できる底蓋を備え、該底蓋が該容器本体より可撓性のある材料から構成されてなる請求項１又は２に記載の容器。
【発明の詳細な説明】
【０００１】
【発明の属する技術分野】
本発明は、蓋の開閉構造と密閉性を改良した容器に関する。
【０００２】
【従来の技術】
従来、ウエットペーパー等を収納する容器として、特開平9-39996 号公報に記載の如く、容器本体の上面の天面部に開口部を形成し、容器本体の天面部に形成した上記開口部を覆う上蓋を、該開口部の後部に設けられるヒンジにより回動可能に該容器本体に結合してなるものがある。
【０００３】
そして、この従来技術では、上蓋を容器本体に対する閉蓋位置に保つ係止機構部を上蓋と容器本体とに設けることにより、上蓋を閉蓋位置に保つこととしている。また、この従来技術では、全開時の上蓋の上面を支える蓋上面衝合部を、容器本体の天面部の上記ヒンジ設置部より後部に設けることにより、上蓋を全開位置に設定することとしている。
【０００４】
【発明が解決しようとする課題】
しかしながら、従来技術には以下の問題点がある。
▲１▼上蓋の全開位置での開き角度を大きくするには、(a) 上蓋のヒンジ位置を容器本体に設けた蓋衝合部に対して上方にせり上げる、或いは(b) 上蓋のヒンジ後部と蓋衝合部との間のクリアランスを大きくとる必要がある。(a) は上蓋が容器本体の天面部に比して上方にせり上り、(b) は上蓋後部と容器本体とのクリアランスが大きくなり、共に容器の外観上好ましくない。
【０００５】
▲２▼蓋を容器本体に結合するヒンジは、蓋に設けたヒンジピンを容器本体に設けたヒンジ孔に嵌入するものであり、容器本体のヒンジ孔が該容器本体に貫通するようになっている。従って、この容器本体の貫通ヒンジ孔が容器の閉蓋時の密閉性を損なう。容器の閉蓋時の密閉性が十分でないと、容器の内容物が例えばウエットペーパーの含浸剤にエタノールの如くの揮発性物質を含んでいる場合には、内容物の成分が揮散し易い。
【０００６】
本発明の課題は、容器の外観を損なうことなく、上蓋の開き角度を大きくとれるようにすることにある。
【０００７】
また、本発明の課題は、閉蓋時の密閉性を向上することにある。
【０００８】
また、本発明の課題は、内容物の詰め替えを容易にしながら、閉蓋時の密閉性を向上することにある。
【０００９】
【課題を解決するための手段】
請求項１に記載の本発明は、容器本体の上面の天面部に開口部を形成し、容器本体の天面部に形成した上記開口部を覆う上蓋を、該開口部の後部に設けられるヒンジにより回動可能に該容器本体に結合し、上蓋を容器本体に対する閉蓋位置に保つ係止機構部を該上蓋と該容器本体とに設け、全開時の上蓋の上面を支える蓋上面衝合部を、容器本体の天面部の上記ヒンジ設置部より後部に設けてなる容器であって、前記上蓋を前記容器本体に結合するヒンジが、該上蓋に設けたヒンジピンを該容器本体に非貫通で設けたヒンジ孔に嵌入して構成され、該上蓋の閉蓋状態下で、該ヒンジ孔が該ヒンジピンに対し遊びを有してなり、前記容器本体の天面部に設けた第１シールリング内に開口部を形成し、上蓋の閉蓋時に、上蓋の裏面に設けた第２シールリングを第１シールリングに嵌合させて開口部を封止可能にしてなるようにしたものである。
【００１７】
【発明の実施の形態】
図１は容器を示す斜視図、図２は容器の開蓋状態を示す断面図、図３は容器本体と底蓋の嵌合状態を示す断面図、図４は図１の容器本体のIV-IV 線に沿う断面図、図５は上蓋のヒンジ部分を示す模式図、図６は上蓋のヒンジ部分の変形例を示す模式図である。
【００１８】
容器１０は、使用目的に応じた液体（例えば水や薬剤）を含浸したウエットペーパー等の内容物を収容するものであり、図１〜図５に示す如く、容器本体１１、上蓋１２、底蓋１３を有している。
【００１９】
容器本体１１は、上面の天面部１４に第１シールリング１５を設け、この第１シールリング１５内に上開口部１６を形成し、この上開口部１６から内容物を取出し可能としている。また、容器本体１１は、側壁底部が形成するボトムシールリング１７内に底開口部１８を形成し、この底開口部１８から内容物の詰め替えを行なうようにしている。容器本体１１の天面部１４で第１シールリング１５の両側外方には蓋受けリブ１９、１９が突設されている。容器本体１１は、例えばプラスチックにて構成され、例えばポリプロピレン（ＰＰ）を採用できる。
【００２０】
上蓋１２は、容器本体１１の天面部１４に形成した上開口部１６の後部に設けられるヒンジ２０により回動可能に容器本体１１に結合し、上開口部１６を覆う。容器本体１１の天面部１４は、ヒンジ２０のまわりに上蓋１２の基端部の回転を受容する天面凹部１４Ａを備えている。また、上蓋１２は、前端部に把手２１を備えている。また、上蓋１２は、裏面に第２シールリング２２を設けるとともに、この裏面の全外周に沿う突条部２３を備えている。これにより、容器１０にあっては、上蓋１２の閉蓋時に、上蓋１２の裏面の突条部２３を容器本体１１の天面部１４の蓋受けリブ１９に衝合するとともに、上蓋１２の第２シールリング２２を天面部１４の第１シールリング１５に嵌合させて上開口部１６を封止可能としている。上蓋１２は、例えばプラスチックにて構成され、例えばポリプロピレン（ＰＰ）を採用できる。
【００２１】
このとき、容器本体１１の天面部１４の第１シールリング１５の内周部の全周に係止凸部３１が設けられるとともに、上蓋１２の第２シールリング２２の外周部の全周に係止凹部３２が設けられている（図２、図５）。係止凸部３１と係止凹部３２は、係止機構部を構成し、上蓋１２の閉蓋時に互いに係止し、上蓋１２を閉蓋位置に保つ。
【００２２】
また、容器１０にあっては、全開時の上蓋１２の上面を支える蓋上面衝合部４１を、容器本体１１の天面部１４の上記ヒンジ２０の設置部より後部に設けている。ヒンジ２０は、上蓋１２に設けた一対のヒンジピン２０Ａを、容器本体１１の天面部１４に設けたヒンジ孔２０Ｂに嵌入して構成されている。そして、上蓋１２の閉蓋状態下で、ヒンジ孔２０Ｂがヒンジピン２０Ａに対し遊び４２を有してなることを特徴としている。更に好ましくは、容器本体１１の少なくとも前記開口部側及び上方に遊び４２を有すると良い（図５（Ａ））。ここで遊びとは、ヒンジ孔２０Ｂの軸に直交する横断面の横断面積からヒンジピン２０Ａの軸に直交する横断面の横断面積を引いた残りの空隙部分の横断面積を意味する。よって、上記遊びの割合（％）は、ヒンジ孔の横断面積に占める、前記遊びの横断面積であり、（ヒンジ孔の横断面積−ヒンジピンの横断面積）×１００÷ヒンジ孔の横断面積で表わすことができる。通常では、ヒンジ孔の横断面積に占める遊びの割合は、 1.0〜22％といわれているが、上記容器１０における好ましい遊び４２の割合は、30〜60％であり、更に好ましくは、30〜35％である。また、上蓋１２の全開時に、上蓋１２は、その上面を容器本体１１の蓋上面衝合部４１（図５（Ｂ）の点ａ）に、その基端部を容器本体１１の天面凹部１４Ａに定められる蓋端衝合部１４Ｂ（図５（Ｂ）の点ｂ）に、そのヒンジピン２０Ａをヒンジ孔２０Ｂの内周部（図５（Ｂ）の点ｃ）に衝合せしめられて、その全開位置を定められる。
【００２３】
また、容器１０において、容器本体１１の天面部１４に設けたヒンジ孔２０Ｂを、図４に示す如く、天面部１４に凹状形成し、天面部１４に非貫通としている。
【００２４】
底蓋１３は、容器本体１１のボトムシールリング１７が形成する底開口部１８に着脱でき、外周部にアウタシールリング５１とインナシールリング５２を備え、アウタシールリング５１とインナシールリング５２の間のリング溝５３に容器本体１１のボトムシールリング１７を嵌合することにて、容器本体１１の底開口部１８に封着される。このとき、ボトムシールリング１７の外周部の全周に設けた係止凸部１７Ａと、アウタシールリング５１の内周部の全周に設けた係止凹部５１Ａとを係止可能としている。また、底蓋１３は、インナシールリング５２を支える補強リブ５２Ａを備えている。
【００２５】
このとき、底蓋１３は、例えばプラスチックにて構成される。そして、底蓋１３は、好適には、容器本体１１より可撓性のある材料から構成でき、例えば容器本体１１がポリプロピレンからなるとき、底蓋１３としてＬＤＰＥ（低密度ポリエチレン）、ＬＬＤＰＥ（リニア低密度ポリエチレン）を採用できる。
【００２６】
容器１０は、以下の如く用いられる。
(1) 上蓋１２の閉蓋時には、上蓋１２の第２シールリング２２の外周部の係止凹部３２が容器本体１１の天面部１４の第１シールリング１５の内周部の係止凸部３１に係止して閉蓋状態を維持するとともに、上蓋１２の第２シールリング２２と天面部１４の第１シールリング１５の嵌合により容器１０の密封性が維持される。
【００２７】
(2) 上蓋１２の開蓋時には、上蓋１２の把手２１に手指を引っ掛けて上蓋１２側の係止凹部３２と容器本体１１側の係止凸部３１との係止を解除するとともに、上蓋１２を開く。そして、上蓋１２の上面を容器本体１１の蓋上面衝合部４１に、上蓋１２の基端部を容器本体１１の天面凹部１４Ａの蓋端衝合部１４Ｂに、上蓋１２のヒンジピン２０Ａをヒンジ孔２０Ｂの内周部に衝合することにより、上蓋１２を全開位置に定める。
【００２８】
(3) 容器１０の内容物の詰め替え時には、容器本体１１の底開口部１８から底蓋１３を外し、容器本体１１の底開口部１８を介して内容物を詰め替えた後、底蓋１３を再び容器本体１１の底開口部１８に封着する。
【００２９】
従って、容器１０によれば、以下の如くの作用がある。
▲１▼上蓋１２の閉蓋状態下で、ヒンジ孔２０Ｂがヒンジピン２０Ａに対し遊びを有し、更に好ましくは容器本体１１の少なくとも前記開口部側及び上方に遊び４２を有してなるようにした。従って、上蓋１２が閉蓋状態から開蓋されるに従い、上蓋１２に設けたヒンジピン２０Ａは容器本体１１のヒンジ孔２０Ｂの遊び４２に沿って前記開口部側及び上方へと移動し、全開状態で容器本体１１の蓋上面衝合部４１に支えられる上蓋１２の開き角度を大きくとるものとなる。
【００３０】
▲２▼上蓋１２は、閉蓋状態では、そのヒンジピン２０Ａを上記ヒンジ孔２０Ｂ内の後方及び下方寄りに設定されるようになっているから、(a) 上蓋１２が容器本体１１の天面部に対して上になることがなく、(b) 上蓋１２の後部と蓋上面衝合部４１との間のクリアランスも過大にならず、容器１０の外観を損なわない。
【００３１】
▲３▼蓋に設けたヒンジピン２０Ａを容器本体１１に設けたヒンジ孔２０Ｂに嵌入するに際し、容器本体１１のヒンジ孔２０Ｂが該容器本体１１に非貫通とされた。従って、容器本体１１のヒンジ孔２０Ｂが容器１０の閉蓋時の密閉性を損なうことがなく、その密閉性を向上できる。これにより、容器１０の内容物が例えばウエットペーパーの含浸剤にエタノールの如くの揮発性物質を含んでいる場合にも、内容物の成分の揮散を抑制できる。
【００３２】
▲４▼容器本体１１の底部の底開口部１８のサイズは容器１０の外観等に関係なく、内容物の詰め替えに好適となるように大サイズ化できる。このとき、この底開口部１８に着脱される底蓋１３が容器本体１１より可撓性のある材料から構成されるようにしたから、底蓋１３と容器本体１１との嵌合度をきつくして密閉性を確保しながら、底蓋１３を柔軟で変形容易とすることにて容器本体１１の底開口部１８から取外し易くし、その着脱性を向上できる。
【００３３】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、容器１０にあっては、ヒンジ孔２０Ｂがヒンジピン２０Ａに対してなす遊び４２を、ヒンジピン２０Ａまわりの全周に設けるものに限らず、図６（Ａ）、（Ｂ）でヒンジ孔２０Ｂ内に記した斜線部分を除く、上蓋１２の閉蓋状態下でのヒンジピン２０Ａに対する開口部側及び上方に該遊び４２を設けるものであっても良い。
【００３４】
【発明の効果】
以上のように本発明によれば、容器の外観を損なうことなく、上蓋の開き角度を大きくとることができる。
【００３５】
また、本発明の課題によれば、閉蓋時の密閉性を向上することができる。
【００３６】
また、本発明の課題によれば、内容物の詰め替えを容易にしながら、閉蓋時の密閉性を向上することができる。
【図面の簡単な説明】
【図１】図１は容器を示す斜視図である。
【図２】図２は容器の開蓋状態を示す断面図である。
【図３】図３は容器本体と底蓋の嵌合状態を示す断面図である。
【図４】図４は図１の容器本体のIV-IV 線に沿う断面図である。
【図５】図５は上蓋のヒンジ部分を示す模式図である。
【図６】図６は上蓋のヒンジ部分の変形例を示す模式図である。
【符号の説明】
１０  容器
１１  容器本体
１２  上蓋
１３  底蓋
１４  天面部
１５  第１シールリング
１６  上開口部
１７  ボトムシールリング
１８  底開口部
２０  ヒンジ
２０Ａ  ヒンジピン
２０Ｂ  ヒンジ孔
２２  第２シールリング
３１  係止凸部
３２  係止凹部
４１  蓋上面衝合部
４２  遊び
５１  アウタシールリング
５２  インナシールリング
【図１】
0004004110.tif 000002
【図２】
0004004110.tif 000003
【図３】
0004004110.tif 000004
【図４】
0004004110.tif 000005
【図５】
0004004110.tif 000006
【図６】
0004004110.tif 000007